(57)【要約】      （修正有）【課題】容器内部の衛生面を向上させ、且つ容器の損傷による漏水を防止できるバッグインボルトを提供する。【解決手段】ガロンボトル１を二重構造にし、ミネラルウォーターは容器内側の収縮性のあるフィルム内３に充填する。外側の容器には内側の容器が収縮した際に内側の容器との間に空気を送り込む穴２を設けることで、フィルム内に空気が入って行かないようにする。また、容器の損傷による漏水対策として二重構造にすることで外側の容器が損傷しただけでは漏水は発生せず、空気を出し入れする穴には空気を通すが水を通さないという特徴を持つゴアテックスフィルターを採用することで、内側の容器が損傷した場合でも漏水は発生しない。更に二重構造であることで、外側・内側のそれぞれが同時に損傷した場合においても、漏水を最小限に抑えることが出来る。【選択図】図３
0003145565.tif 000002
【実用新案登録請求の範囲】
【請求項１】
ボトルの構造を二重とし、内側の素材を収縮するビニールフィルムとすることで、通常ボトル内に空気が入る構造のガロンボトルを、空気が内部に入りづらいものにすることを特徴としたガロンボトル。
【請求項２】
前記二重構造を実現するために、内部にミネラルウォーターを充填する際に、内部の空気の逃げ道として外側に使用するボトルには空気穴を設けることを特徴としたガロンボトル。
【請求項３】
前記空気穴を設けることにより、ボトル内のミネラルウォーターを供給する際に外側の容器と内側の容器の間に空気を吸入することが可能となり、内側の容器が収縮できることを特徴としたガロンボトル。
【請求項４】
前記二重構造を採用したことにより、容器の不具合等による内容物の漏洩を最小限に防ぐことを特徴としたガロンボトル。
【請求項５】
前記ボトルへ設ける空気穴部には空気を通過させるが水は通過させないという特徴を持つゴアテックス素材を用いることにより、内側の容器が損傷した場合にボトルの外部へ内容物が漏えいすることを防ぎ、また、外部からボトル内へゴミ等の異物の混入をぐことを特徴としたガロンボトル。
【考案の詳細な説明】
【技術分野】
【０００１】  この発明は、ミネラルウォーターを供給するために使用されている冷温水ウォーターディスペンサーに接続するガロンボトルの形状に関する。
【背景技術】
【０００２】  従来のガロンボトルの形状は、図２に示すようにガロンボトルに蓋をしただけの形状のものである。
【考案の開示】
【考案が解決しようとする課題】
【０００３】  しかしながら、従来のガロンボトルは内容物であるミネラルウォーターを供給するごとに、内部へ空気を吸い込ませなくてはならず、空気との接触によりボトル内部のミネラルウォーターは常に雑菌類を含んだ空気に触れる状態になっており、また、容器の外部に亀裂等の損傷が発生した場合には、中のミネラルウォーターが外部へ漏れ出てしまうものになっていた。
そこで、この発明は容器の内部の衛生面を向上させること、及び容器の損傷によるミネラルウォーターの漏水を防ぐことを課題とする。
【課題を解決するための手段】
【０００４】  以上の課題を解決するために、第一発明は容器を二重構造とし、内部は収縮する素材とすることを特徴とするガロンボトルである。
また、第二発明は、容器の二重構造を実現させるために、容器内へミネラルウォーターを充填する際にボトル内の空気を外部へ逃がし、充填した容器からミネラルウォーターを供給する際には内側の容器を収縮させるために外側の容器との間に空気を吸入するための空気穴を設けることを特徴とするガロンボトルである。
また、第三発明は、容器の空気穴部にゴアテックスフィルターを用いることで、内部の容器が損傷した場合に容器の外部へミネラルォーターが漏水することを防ぎ、また、ボトル内へゴミ等の異物が混入することを防ぐことを特徴とするガロンボトルである。
【考案の効果】
【０００５】  第一発明、及び第二発明により、ガロンボトル内への空気流入を最小限に食い止め、ボトル内の衛生面を向上させることが出来る。
第一発明、及び第三発明により、ガロンボトルの損傷による漏水のリスクを軽減することが出来る。
【考案を実施するための最良の形態】
【０００６】  この発明の一実施形態を、図１に示す。
ガロンボトルの本体１はプラスチック製であり、本体の内側に収縮性のあるフィルムで出来た容器を入れ、この内側の容器内にミネラルウォーターを充填し、本体の上部に冷温水ウォーターディスペンサーとの接続口を内蔵した軟質プラスチック製の蓋をする。
【実施例】
【０００７】  この発明の一実施例を、図３に示す。
この実施形態によれば、ガロンボトルを逆さまにして冷温水ウォーターサーバーへセットして使用すれば、本体内側の収縮性のフィルム内に充填されたミネラルウォーターを供給するごとにフィルムが収縮し、本体の外側のプラスチック容器との間に空気が入って行くため、本体内側のフィルム内にはほとんど空気が入らない。
【図面の簡単な説明】
【０００８】
【図１】この発明の一実施形態を示す斜視図である。
【図２】従来技術を示す斜視図である。
【図３】この発明の使用状況を示す斜視図である。
【符号の説明】
【０００９】  １  ガロンボトル本体            ２  空気穴（フィルター）
３  フィルム状容器
【図１】
0003145565.tif 000003
【図２】
0003145565.tif 000004
【図３】
0003145565.tif 000005
【手続補正書】
【提出日】平成20年3月15日(2008.3.15)
【手続補正１】
【補正対象書類名】実用新案登録請求の範囲
【補正対象項目名】全文
【補正方法】変更
【補正の内容】
【実用新案登録請求の範囲】
【請求項１】
通常のガロンボトルは、ボトルよりミネラルウォーターを供給する際に容器の中へ空気が入る構造になっているが、ガロンボトルの構造を二重とし、プラスチック素材のガロンボトル容器の内側にビニールフィルム素材の容器を封入させ、内側の容器内にミネラルウォーターを充填し、その内側の容器内よりミネラルウォーターを供給することで、供給時には内側の容器が収縮して行くことになる。この仕組みにより容器の内部に空気が入りづらくなる二重構造とすることを特徴としたガロンボトル。
【請求項２】
プラスチック素材のガロンボトルの内側に、ビニールフィルム素材の容器を封入した二重構造のボトル内（ビニールフィルム素材の容器内）へミネラルウォーターを充填する際に、ビニールフィルム素材の容器が膨張するので、外側の容器と内側の容器との間にある空気の逃げ道が必要となる。外側のプラスチック容器と内側に封入したビニールフィルム状の容器との間にある空気を逃がす為に、外側のプラスチック容器部分に空気穴を設けることを特徴とした二重構造であることを特徴とする請求項１に記載のガロンボトル。
【請求項３】
プラスチック素材のガロンボトルの内側に、ビニールフィルム素材の容器を封入した二重構造のボトル内（ビニールフィルム素材の容器内）へ充填したミネラルウォーターを供給する際に、プラスチック素材である外側の容器と容器の内側に封入しているビニールフィルム素材の容器との間に空気を吸入させなくては、内側の容器が収縮せず、内側の容器内のミネラルウォーターを供給するごとに、ビニールフィルム状の容器内へ空気を吸い込むことになってしまう。ミネラルウォーターを供給するごとに、内側のビニールフィルム状の容器がしぼんで行き、容器内へ空気を吸い込まないようにする為には、代わりに外側の容器と内側の容器との間に空気を吸い込むように出来る構造としなくてはならない。その為に二重構造をしたガロンボトルの外側の容器に空気穴を設けることを特徴とした請求項１に記載のガロンボトル。
【請求項４】
通常のガロンボトルは、プラスチック素材で出来た容器にミネラルウォーターを充填しただけのものなので、容器に亀裂などの破損が発生すると、中に充填したミネラルウォーターが外部に漏出してしまうものであった。プラスチック素材で出来た容器の内側にビニールフィルム素材で出来た容器を封入し、内側のビニールフィルム容器内にミネラルウォーターを充填する二重構造のボトルにすることで、内側の容器が破損した場合は、外側の容器が水を容器の外へ漏れ出すことを防ぐことが出来る。また、外側の容器が破損した場合においても、内側の容器に破損が無い限り容器の外へ水が漏れ出ることはない。このように容器の破損による、容器の内容物であるミネラルウォーターが容器の外側へ漏れ出すことを防げる二重構造であることを特徴とする請求項１に記載のガロンボトル。
【請求項５】
プラスチック素材で出来たガロンボトルの内側にビニールフィルム素材で出来た容器を封入し、内側の容器内においてミネラルウォーターを充填及び供給することで、外側のプラスチック容器の破損が原因で容器の外へ漏れ出すことは防ぐことは出来るが、請求項２及び請求項３に記載のした、外側のプラスチック素材の容器に空気穴を設けることを特徴としたガロンボトルであるため、内側のビニールフィルム容器が破損した場合は、容器内のミネラルウォーターが空気穴より外部へ漏れ出てしまう。その為に、外側の容器からミネラルウォーターが漏れ出ることを防ぐために、空気は通過させるが水は通過させないという特徴を持つゴアテックス（商標登録）を空気穴部分に貼付させることで、内側の容器に充填したミネラルウォーターが、内側の容器の破損により外側のプラスチック素材で出来た容器より外部へ漏れ出ることを防ぎ、また、容器の外部からガロンボトル内へゴミ等の異物の混入を防げることを特徴とした請求項１に記載のガロンボトル。
【手続補正２】
【補正対象書類名】明細書
【補正対象項目名】０００４
【補正方法】変更
【補正の内容】
【０００４】以上のことを解決するために、第一発明はプラスチック容器の内部にビニールフィルム状の容器を封入し、内側の容器内にミネラルウォーターを充填し、その容器内からミネラルウォーターを供給することで、供給するごとボトルへ空気を吸い込む代わりに内側のフィルム状の容器がしぼんで行く。これにより容器の内部へ空気が入りづらくなる二重構造であることを特徴としたガロンボトルである。
また、第二発明は、容器の二重構造を実現させるために、容器内へミネラルウォーターを充填する際にはボトル内の空気を外部へ逃がし、充填した容器からミネラルウォーターを供給する際には内側の容器をしぼませるために外側の容器と内側の容器との間に空気を出入りさせる空気穴を設けることを特徴としたガロンボトルである。
また、第三発明は、容器の空気穴部にゴアテックス（商標登録）を用いることで、内側のビニールフィルム状の容器が損傷した場合には容器の外部へミネラルウォーターが漏れ出ることを防ぎ、また、ボトル内へゴミ等の異物が入ることを防ぐことを特徴とするガロンボトルである。
【手続補正書】
【提出日】平成20年7月5日(2008.7.5)
【手続補正１】
【補正対象書類名】実用新案登録請求の範囲
【補正対象項目名】全文
【補正方法】変更
【補正の内容】
【実用新案登録請求の範囲】
【請求項１】
ガロンボトルの構造を二重とし、プラスチック素材のガロンボトル容器の内側にビニールフィルム素材の容器を封入させ、内側の容器内にミネラルウォーターを充填し、その内側の容器内よりミネラルウォーターを供給することで、供給時には内側の容器が収縮して行くことになる仕組みにより容器の内部に空気が入りづらくなる二重構造とすることを特徴としたガロンボトル。
【請求項２】
ミネラルウォーターを容器内に充てんする際に外側のプラスチック容器と内側に封入したビニールフィルム状の容器との間にある空気を逃がす為、外側のプラスチック容器部分に空気穴を設けることを特徴とした二重構造であることを特徴とする請求項１に記載のガロンボトル。
【請求項３】
ミネラルウォーターを供給するごとに内側のビニールフィルム状の容器内へ空気を吸い込ませないようにする為に、二重構造をしたガロンボトルの外側の容器に空気穴を設け、外側の容器と内側の容器との間に空気を吸い込ませるようにすることを特徴とした請求項１に記載のガロンボトル。
【請求項４】
外側の容器からミネラルウォーターが漏れ出ることを防ぐために、空気は通過させるが水は通過させないという特徴を持つゴアテックス（商標登録）を空気穴部分に貼付させることで、内側の容器に充填したミネラルウォーターが、内側の容器の破損により外側のプラスチック素材で出来た容器より外部へ漏れ出ることを防ぎ、また、容器の外部からガロンボトル内へゴミ等の異物の混入を防げることを特徴とした請求項１又は請求項２又は請求項３に記載のガロンボトル。